(57)【要約】【課題】フォークやスプーン等の取り出し部材をコンパクトに収納し容器の外観を損ねることのない飲食用容器を提供する。【解決手段】  内容物を収納するカップ（１）と、このカップ（１）を支える脚部（２）とを備えた飲食用容器において、前記脚部（２）を、下面を接地面とする台座（２ａ）とこの台座（２ａ）の上面にて起立し前記カップ（１）の底部につながる脚部本体（２ｂ）にて構成し、前記脚部本体（２ｂ）に、台座（２ａ）の下面にて開口する内部空間（３）を設け、この内部空間（３）内に内容物の取り出し部材（４）を収納する。【選択図】図１
2006016021.tif 000002
【特許請求の範囲】
【請求項１】
内容物を収納するカップと、このカップを支える脚部とを備えた飲食用容器であって、
前記脚部は、下面を接地面とする台座とこの台座の上面にて起立し前記カップの底部につながる脚部本体からなり、
前記脚部本体に、台座の下面にて開口する内部空間を設け、この内部空間内に内容物の取り出し部材を収納したことを特徴とする飲食用容器。
【請求項２】
前記取り出し部材が、フォーク又はスプーンである請求項１記載の飲食用容器。
【請求項３】
前記取り出し部材が、台座の開口に着脱自在に嵌合する基部と、この基部から突出しその先端を接地させて台座と協働してカップを安定的に支える膨出部を有する請求項１又は２記載の飲食用容器。
【請求項４】
前記カップと脚部本体とは、凹部とこの凹部に嵌まり込む凸部によって連結されたものである、請求項１〜３の何れかに記載の飲食用容器。
【請求項５】
前記脚部本体と取り出し部材とを連結可能とする、請求項１〜４の何れかに記載の飲食用容器。
【発明の詳細な説明】
【技術分野】
【０００１】
本発明は、アイスクリーム等の氷菓子やプリン、ゼリー等のデザート類を内容物として収納するのに好適な容器に関するものであり、該内容物を取り出す際に使用するフォークやスプーンの如き取り出し部材をコンパクトな状態で収納しようとするものである。
【背景技術】
【０００２】
氷菓子等を入れる容器には、容器の開封後に内容物をすぐさま取り出すことができるようにスプーンやフォーク等の部材が備え付けられている（例えば特許文献１参照）。
【０００３】
【特許文献１】実開平５−４６７３９号公報
【０００４】
ところで、この種の容器は、スプーンやフォークは容器の外面に装着されていることから、商品の搬送過程において脱落し紛失しまうことも懸念され、また、外観上商品としての見栄えもよくないところに問題を残している。
【発明の開示】
【発明が解決しようとする課題】
【０００５】
本発明の課題は、フォークやスプーン等の取り出し部材を、該取り出し部材の脱落や容器外観の見栄えを損なうことなしにコンパクトに収納できる新規な飲食用容器を提案するところにある。
【課題を解決するための手段】
【０００６】
本発明は、内容物を収納するカップと、このカップを保持する脚部とを備える飲食用容器であって、
前記脚部は、台座とこの台座の上面にて起立し前記カップの底部につながる脚部本体からなり、
前記脚部本体に、台座の下面にて開口する内部空間を設け、この内部空間内に内容物の取り出し部材を収納したことを特徴とする飲食用容器である。
【０００７】
上記の構成になる容器において、前記取り出し部材は、フォーク又はスプーンとするのが好ましい。
【０００８】
また、前記取り出し部材は、台座の開口に着脱自在に嵌合する基部と、この基部から突出しその先端を接地させて台座と協働してカップを安定的に支える膨出部を備えることができる。
【０００９】
前記カップと脚部本体とは、一体連結することができるが、何れか一方に凹部を設け、この凹部に嵌まり込む凸部をもう一方に設けて連結するようにしてもよい。
【００１０】
さらに、脚部本体は、カップから離脱させて取り出し部材と連結するようにしてもよい。
【発明の効果】
【００１１】
取り出し部材は、脚部本体の内側に設けた収納空間に配置されるため他のものに触れて脱落することはなく、また、商品の見栄えを損なうこともない。
【発明を実施するための最良の形態】
【００１２】
以下、図面を用いて本発明をより具体的に説明する。
図１は本発明にしたがう飲食用容器の実施の形態を示した図であり、図における１は薄肉シートＳにより密閉可能で氷菓子等を内容物として収納したカップ（グラス）を示したものであり、２はカップ１を支える脚部である。
【００１３】
脚部２は下面を接地面とする台座２ａとこの台座２ａの上面にて起立しカップ１の底部につながる脚部本体２ｂからなっている。
【００１４】
また、３は脚部本体２ｂの内側に設けられ台座２ａの下面にて開口する内部空間、４は内部空間３に収納される取り出し部材である。この取り出し部材４は台座２ａの開口に着脱自在に嵌合する基部４ａと、この基部４ａから突出しその先端を接地させて台座２ａと協働してカップ１を安定的に支える膨出部（突起）４ｂを備える。取り出し部材４は脚部２の内部空間３に着脱可能に圧入された場合について図示したが、該取り出し部材４は内部空間３からの脱落を確実に防止するため、アンダーカット嵌合あるいは螺合等の固定方法を採用してもよい。
【００１５】
上記の構成になる容器において、取り出し部材４は脚部本体２ｂに設けられた内部空間３に収納されており、これにより容器の外観を損ねることはなく、しかも、該取り出し部材４が他のものに接触して脱落するおそれもない。なお、脚部２については、透明又は半透明の樹脂で構成することで取り出し部材４を外部から視認することが可能であるが、有色の樹脂で構成するようにしてもよく、この場合には内部空間３に収納される取り出し部材４が外部から見えないので、商品の美観がより一層高まる。
【００１６】
カップ１は脚部本体２ｂを通して主に台座２ａにて支えることになるが、取り出し部材４の膨出部４ｂを接地させることでカップ１の支えはより一層安定化される。
【００１７】
上掲図１の例では、カップ１と脚部本体２ｂとは一体連結した場合について示したが、例えば図２に示すようにカップ１の底部に凸部５を設け、脚部本体２ｂに凹部６を設けて、該凸部５を凹部６に嵌め込んでそれらを相互に連結してもよく、この点については限定されない。
【００１８】
なお、カップ１と脚部本体２ｂとを凹凸嵌合等にて連結する場合、カップ１、脚部２の製造、充填前段階において、夫々をスタッキングすることが可能となる。
【００１９】
カップ１と脚部本体２ｂの分離が可能な連結構造になっている場合、飲食時に、カップ１から脚部本体２ｂを離脱させ、内部空間３から取り出した取り出し部材４の膨出部４ｂを脚部本体２ｂの凹部６（カップ連結部）に圧入、アンダーカット嵌合、螺合等の方法により係合、連結することで取り出し部材４の延長を図ることができ、深皿形のカップ１であっても内容物の取り出しが容易になるとともに、取り出し部材４を把持しやすくなり飲食の際の使い勝手が改善される。
【００２０】
本発明の容器は合成樹脂を所望の形状に射出成形することによって得ることができるものであり、容器の形状は内容物の種類に応じて種々変更可能で、図示の形状のみに限定はされない。
【産業上の利用可能性】
【００２１】
フォークやスプーン等の取り出し部材をコンパクトに収納し容器の外観を損ねることのない飲食用容器が提供できる。
【図面の簡単な説明】
【００２２】
【図１】本発明にしたがう飲食用容器の実施の形態を示した図である。
【図２】本発明にしたがう飲食用容器の他の例を示した図である。
【符号の説明】
【００２３】
１  カップ
２  脚部
２ａ  台座
２ｂ  脚部本体
３  内部空間
４  取り出し部材
４ａ  基部
４ｂ  膨出部
５  凸部
６  凹部
【図１】
2006016021.tif 000003
【図２】
2006016021.tif 000004